(57)【特許請求の範囲】
【請求項１】
フォークリフトの爪部に、コンテナ内に収容せる長尺物の引出始端を側面方向から挟み付ける、平面視Ｌ字型でコーナー部が凸曲形状の左右一対の挟付片を、所要の間隔を存してそれぞれ各コーナー部の背面側に設けられた回転軸によって基板上に回動自在に支持した挟付機構を具備したフォークリフト用荷役補助具を装着し、
前記基板を、前記長尺物の下面とコンテナの底面との間に差し込み、
前記左右の挟付片の先端部を前記長尺物に押し当て、各挟付片のコーナー部と回転軸の作用によって、各挟付片の先端部間を拡大させて長尺物を挟み付けたのち、
前記挟付機構とフォークリフトの本体間に配設されたレバーホイスト構造を有する操作機構を操作し、レバーホイスト構造を緊張させて、前記回転軸を支点として各挟付片の先端部間を縮小させ、前記長尺物の引出始端を左右の挟付片で締め付けて保持したのち、
前記フォークリフトを後進させて、コンテナから長尺物を引き出し、
長尺物の引き出し途中において、長尺物の下面と地面との間にころ材を当てがい、
長尺物の引き出し終了直前に、長尺物の引出始端付近の下面と地面との間に角材を当てがい、引き出した長尺物と地面との間にフォークリフトの爪部を差込んで、長尺物を持ち上げ搬送すること
を特徴とする長尺物の荷役方法。
【請求項２】
前記長尺物の引出始端への左右一対の挟付片での挟み付け保持は、
長尺物の各側面と、当該側面と相対する挟付片の内側面間に、ゴム板を介装すること
を特徴とする請求項１に記載の長尺物の荷役方法。
【請求項３】
フォークリフトの爪部に載せられ、先端部がコンテナと長尺物との間に形成される隙間間に差し込み可能な基板と、
平面視Ｌ字型でコーナー部が凸曲形状の左右一対の挟付片が、所要の間隔を存してそれぞれ各コーナー部の背面側に設けられた回転軸によって基板上に回動自在に支持され、各挟付片のコーナー部と回転軸の作用によって、各挟付片の先端部の間隔が拡縮される挟付機構と、
前記挟付機構とフォークリフトの本体部間に配設され、緊張によって前記左右一対の挟付片を長尺物の引出始端に挟み付け、その状態を保持し、弛緩によって長尺物への挟み付けを解除することのできるレバーホイスト構造を有する操作機構とからなること
を特徴とするフォークリフト用荷役補助具。
【請求項４】
前記フォークリフトは、
爪部を支持する支持枠に、着脱可能で操作機構が連結される連結用取付座を備えたこと
を特徴とする請求項３に記載のフォークリフト用荷役補助具。
【請求項５】
前記レバーホイスト構造は、
ワンウエイクラッチが内蔵された本体部と、前記ワンウエイクラッチに連結した操作レバーと、前記左右一対の挟付片の基端部に設けた連結部材に連結する、本体部に外装された固定フックと、前記ワンウエイクラッチに連結して巻取られるチェーンと、このチェーンの先端に取付けられた巻取フックを有すること
を特徴とする請求項３又は４に記載のフォークリフト用荷役補助具。
【発明の詳細な説明】
【０００１】
【発明の属する技術分野】
本発明は、フォークリフトを使用して海上コンテナに収容されている製材品等の全ての長尺物を引き出す荷役に係る技術分野に属する。
【０００２】
【発明の技術的背景】
最近、製材された材木が、商品価値を低下させないようにコンテナに収容されて輸入されるようになってきている。このため、港湾や各種工場等では、海上コンテナに収容されている長尺物である製材品を、通常のフォークリフトを使用して、傷を付けずに簡単に取り出すことのできる技術の開発が望まれている。
【０００３】
【従来の技術】
従来、長尺物である製材品をコンテナから取り出すには、例えば、フォークリフトの爪部に凹凸構造の滑止めを装着して、フォークリフトの爪部，滑止めを製材品の下面とコンテナの底面とのわずかな間に差し込み、フォークリフトを後進させて、製材品をコンテナから少しずつ引き出す荷役作業が行われている。又は、特殊な２枚羽根構造のグラブフォークリフトで荷役作業が行われている。
【０００４】
【発明が解決しようとする課題】
従来の荷役方法には、次のうよな課題がある。
（１）滑止めが抜けたりすると、再差込みしなければならず、荷役作業に煩雑な人手や多くの時間がかかる。
（２）滑止めの表面が凹凸構造であるため、製材品を引き出す際の摩擦作用で、製材品との接触部に擦傷が多発し、商品価値を低減することがある。
（３）製材品の結束帯鉄が切断していると、滑止めを装着しても荷崩れしてしまうため、滑止めの使用ができず、製材品を一枚毎取り出さねばならず、荷役に多くの人手と時間を要する。
（４）コンテナ内寸法一杯、即ち、殆ど隙間のない積付状態の時は、滑止めを差し込むことができず、結束した荷姿で引き出す手段がない。
【０００５】
本発明の目的は、このような問題点を考慮してなされたもので、通常のフォークリフトを１台使用して、短時間でコンテナから長尺物を引き出すことのできる長尺物の荷役方法と、この長尺物の荷役方法での使用に好適なフォークリフト用荷役補助具とを提供することにある。
【０００６】
【課題を解決するための手段】
前述の課題を解決するため、本発明に係る長尺物の荷役方法は、
フォークリフトの爪部に、コンテナ内に収容せる長尺物の引出始端を側面方向から挟み付ける、平面視Ｌ字型でコーナー部が凸曲形状の左右一対の挟付片を、所要の間隔を存してそれぞれ各コーナー部の背面側に設けられた回転軸によって基板上に回動自在に支持した挟付機構を具備したフォークリフト用荷役補助具を装着し、
前記基板を、前記長尺物の下面とコンテナの底面との間に差し込み、
前記左右の挟付片の先端部を前記長尺物に押し当て、各挟付片のコーナー部と回転軸の作用によって、各挟付片の先端部間を拡大させて長尺物を挟み付けたのち、
前記挟付機構とフォークリフトの本体間に配設されたレバーホイスト構造を有する操作機構を操作し、レバーホイスト構造を緊張させて、前記回転軸を支点として各挟付片の先端部間を縮小させ、前記長尺物の引出始端を左右の挟付片で締め付けて保持したのち、
前記フォークリフトを後進させて、コンテナから長尺物を引き出し、
長尺物の引き出し途中において、長尺物の下面と地面との間にころ材を当てがい、
長尺物の引き出し終了直前に、長尺物の引出始端付近の下面と地面との間に角材を当てがい、引き出した長尺物と地面との間にフォークリフトの爪部を差込んで、長尺物を持ち上げ搬送すること
を特徴とするものである。
【０００７】
この手段では、フォークリフト用荷役補助具で長尺物を挟付けて引き出すため、引き出し途中で、フォークリフト用荷役補助具から長尺物が外れることがない。
長尺物の引き出し途中においては、ころ材が当てがわれ、長尺物の引出終端の海上コンテナからの衝撃落下が防止される。
また、長尺物の引き出し終了直前には、ころ材，角材により長尺物の下側に隙間が確保される。従って、荷役作業が中断されず連続して行われる。
【０００８】
また、請求項２に記載の発明は、
請求項１に記載の長尺物の荷役方法において、
前記長尺物の引出始端への左右一対の挟付片での挟み付け保持は、
長尺物の各側面と、当該側面と相対する挟付片の内側面間に、ゴム板を介装すること
を特徴とするものである。
【０００９】
この手段では、ゴム板によって、フォークリフト用荷役補助具と長尺物との間の滑りが防止され、フォークリフト用荷役補助具による長尺物の傷付けが防止される。
【００１０】
さらに、本発明に係るフォークリフト用荷役補助具は、
フォークリフトの爪部に載せられ、先端部がコンテナと長尺物との間に形成される隙間間に差し込み可能な基板と、
平面視Ｌ字型でコーナー部が凸曲形状の左右一対の挟付片が、所要の間隔を存してそれぞれ各コーナー部の背面側に設けられた回転軸によって基板上に回動自在に支持され、各挟付片のコーナー部と回転軸の作用によって、各挟付片の先端部の間隔が拡縮される挟付機構と、
前記挟付機構とフォークリフトの本体部間に配設され、緊張によって前記左右一対の挟付片を長尺物の引出始端に挟み付け、その状態を保持し、弛緩によって長尺物への挟み付けを解除することのできるレバーホイスト構造を有する操作機構とからなること
を特徴とするものである。
【００１１】
この手段では、基盤をフォークリフトの爪部に載せて挟付機構を長尺物の両側に位置させておき、基盤及び挟付機構を長尺物に差し込んだあと、操作機構を緊張させることにより挟付機構で長尺物を挟付けることができる。
【００１２】
さらにまた、請求項４に記載の発明は、
請求項３に記載のフォークリフト用荷役補助具において、
前記フォークリフトは、
爪部を支持する支持枠に、着脱可能で操作機構が連結される連結用取付座を備えたこと
を特徴とするものである。
【００１３】
この手段では、フォークリフトの爪部を支持する支持枠に取付けられた連結用取付座に操作部が連結される。
【００１４】
さらにまた、請求項５に記載の発明は、
請求項３又は４に記載のフォークリフト用荷役補助具において、
前記操作機構は、
ワンウエイクラッチが内蔵された本体部と、前記ワンウエイクラッチに連結した操作レバーと、前記左右一対の挟付片の基端部に設けた連結部材に連結する、本体部に外装された固定フックと、前記ワンウエイクラッチに連結して巻取られるチェーンと、このチェーンの先端に取付けられた巻取フックを有するレバーホイスト構造を有すること
を特徴とするものである。
【００１５】
この手段においては、操作機構に荷役作業で多用されているレバーホイスト構造が採用される。
【００１６】
【発明の実施の形態】
以下、本発明に係る長尺物の荷役方法、およびフォークリフト用荷役補助具の実施の形態を図面に基づいて説明する。
【００１７】
図１は、本発明にかかる長尺物の荷役方法の実施の形態を示す工程図で、（Ａ）〜（Ｄ）は工程順の流れ図、図２は、図１の動作原理を示す簡略図である。
【００１８】
この実施の形態では、長尺物Ｐは長板形の製材品で、積層結束されて直方体形のコンテナＣに収容されている。
【００１９】
図１（Ａ），（Ｂ）に示すように、フォークリフトＦの爪部Ｆａには、フォークリフト用荷役補助具（以下、単に、「荷役補助具」という。）Ｓが装着される。
この荷役補助具Ｓについては、後に詳説するが、長尺物Ｐをかなり強力に挟み付けることができるものが採用される。
【００２０】
フォークリフトＦを、コンテナＣに向けて前進させて、荷役補助具Ｓで長尺物Ｐの引出始端（長手方向の一方の端部）を、左右方向から挟み付ける。
続いて、フォークリフトＦは、図１（Ａ）に示すように、荷役補助具Ｓで長尺物Ｐを挟み付けたまま後進して、コンテナＣから長尺物Ｐを引き出す。
このとき、後に詳説される図４，図５に示すように、荷役補助具Ｓと長尺物Ｐとの間にゴム板Ｒを介装すると、荷役補助具Ｓと長尺物Ｐとの間の滑りを防止し、長尺物ＰのコンテナＣからの引き出しを確実に行うことができ、荷役補助具Ｓによる長尺物Ｐの傷付き損傷を防止することができる。
【００２１】
このフォークリフトＦによる長尺物ＰのコンテナＣからの引き出しは、荷役補助具Ｓで長尺物Ｐの引出始端を確実に挟み付け保持することができるので、前述の従来例のような途中の中断が起こらず一挙に行われることになる。
【００２２】
長尺物Ｐの引き出しを開始し、引出始端がコンテナ戸口から外に２／３程度引き出された時に、終端部付近の下面に、円筒，円柱材などのころ材Ｍを当てがう。（図１Ｂ参照）
その結果、長尺物Ｐの引出終端は、コンテナＣから地面等に衝撃落下することがない。
なお、ころ材Ｍは、地面上を転動して、長尺物Ｐの引き出しを助勢する（図２参照）。
【００２３】
長尺物Ｐの引き出しが終了した後には、図１（Ｃ）に示すように、長尺物Ｐの引出始端付近の下面に、角筒材，角柱材などの角材Ｎを当てがう。
その結果、長尺物Ｐは、コンテナＣから完全に引き出されて、地面等の上にある程度の安定性をもって静置されることになる。
また、長尺物Ｐの下面と地面等との間には、隙間Ｄが形成されることになる。
【００２４】
その後、図１（Ｄ）に示すように、フォークリフトＦの爪部Ｆａを長尺物Ｐの中央位置の隙間Ｄに差込んで、長尺物Ｐを持ち上げ運搬することになる。
このフォークリフトＦについては、荷役現場の各種条件等に対応して、先に長尺物Ｐを引き出したものから、荷役補助具Ｓのレバーホイスト構造の緊張を解除し、簡単に荷役補助具Ｓを取り外し、１台のフォークリフトＦで持ち上げ運搬するようにしたが、別個のフォークリフトを使用することもできることから、本発明は、この実施の形態に特定されることはない。
【００２５】
この実施の形態によると、連続した作業により極めて短時間で荷役作業を完了することができる。
【００２６】
図３〜図５は、本発明に係る荷役補助具Ｓの実施の形態を示すものである。
【００２７】
この実施の形態では、前述のように、長尺物Ｐである長板形の製材品が積層結束されて直方体形のコンテナＣに収容されている場合に、通常の２股の爪部Ｆａを備えたフォークリフトＦへの装着に好適なものを示してある。
【００２８】
この実施の形態は、図３に示されるように、荷役補助具Ｓは、基板１，挟付機構２，操作機構３，連結用取付座４の各部で構成されている。
【００２９】
前記基板１は、長尺物Ｐの下面とコンテナＣの底面とのわずかな隙間に差込むことが可能な薄板からなる本体部１ａを備えるとともに、この本体部１ａの表面側に挟付機構２が取付けられ、本体部１ａ裏面側が、フォークリフトＦの爪部Ｆａに載せられるようになっている。
このフォークリフトＦの爪部Ｆａの先端が、基板１の本体部１ａの先端より約５ｃｍ手前まで差し込む構造になっている。
また、フォークリフトＦと荷役補助具Ｓの一体化を図っている。
また、本体部１ａの表面には、挟付機構２の本体部１ａからの大幅な突出を規制し、挟付機能を効果的にするストッパピン１ｂが直立されている。
さらに、本体部１ａの裏面には、フォークリフトＦの爪部Ｆａの横ずれを防止するストッパ枠１ｃが固定されている。
【００３０】
前記挟付機構２は、基板１の本体部１ａの表面に固定された回動軸２ａ，２ａと、各回動軸２ａ，２ａに回動可能に支持された、平面視Ｌ字型でコーナー部が凸曲形状の左右一対の挟付片２ｂ，２ｂと、これら挟付片２ｂ，２ｂと操作機構３とを連結するエンドレスワイヤーの連結部材２ｃとで構成されている。
前記連結部材２ｃは、特に、図４で明らかなように、前記挟付片２ｂ，２ｂの各基端部に設けられている。
前記左右一対の挟付片２ｂ，２ｂは、各平面視Ｌ字型でコーナー部が凸曲形状の部の背面側に設けられた前記回転軸２ａ，２ａによって基板１上にそれぞれ回転自在に支持されるもので、前記各回転軸２ａを支点とする回動によって、各挟付片２ｂ，２ｂの先端部間の間隔を拡縮するもので、挟付機構２を長尺物Ｐに押し当てると、各挟付片２ｂのコーナー部と回転軸２ａの作用により自然に回動し、各挟付片２ｂ，２ｂの先端部間の間隔を収縮する。
この収縮作用により、長尺物Ｐに対する挟み付けの持続効果を更に発揮する。
また、連結部材２ｃとしては、左右一対の挟付片２ｂ，２ｂが平均的に締め付けられるよう、エンドレスワイヤーを使用している。
このエンドレスワイヤーからなる連結部材２ｃは、挟付機構２と操作機構３との間の緊張を平均化するものである。
フォークリフトＦは、コンテナＣ内に進入して戸口より２列，３列目の製材品を引き出す際に、挟付片２ｂが直角に入ることができず、斜め方向での差し込みとなるため、エンドレスワイヤーを使用することで、平均的な締め付けがなしうる効果がある。
【００３１】
また、操作機構３は、レバーホイスト構造からなるもので、ワンウエイクラッチ（図示せず）が内蔵された本体部３ａと、本体部３ａのワンウエイクラッチに連結した操作レバー３ｂと、本体部３ａの外装に固定され、挟付機構２の連結部材２ｃに連結される固定フック３ｃと、本体部３ａ内のワンウエイクラッチに連結した回転軸（図示せず）に連結して巻取られるチェーン３ｄと、チェーン３ｄの先端に取付けられた巻取フック３ｅとからなる。
なお、操作レバー３ｂは、起伏操作によってチェーン３ｄを巻き取り、固定フック３ｃ，巻取フック３ｅの間を緊張させることができるようになっている。
また、操作機構３は、レバー操作のできる必要最小限の空間をとってある。
【００３２】
また、連結用取付座４は、ほぼＬ字形に形成され、フォークリフトＦの爪部Ｆａを支持する支持枠Ｆｂに差し込み嵌合可能な本体部４ａと、本体部４ａに突出して設けられ、操作機構３の巻取フック３ｅが連結される掛金４ｂとからなる。
この連結用取付座４は、操作機構３とフォークリフトＦとの連結を容易にする。
【００３３】
この実施の形態によると、構造が簡素であるため、安価，容易に製造することができ、挟付機能のある高価なグラブフォークリフトを必要としない。
【００３４】
この実施の形態を使用する際には、基板１をフォークリフトＦの爪部Ｆａに載せ、連結用取付座４をフォークリフトＦの支持枠Ｆｂに取付け、挟付機構２の連結部材２ｃと操作機構３の固定フック３ｃとを連結し、操作機構３の巻取フック３ｅと連結用取付座４の掛金４ｂとを連結することによって、フォークリフトＦに装着される。
【００３５】
そして、フォークリフトＦをコンテナＣに向けて前進させ、基板１の本体部１ａを長尺物Ｐの下面とコンテナＣの底面との間に差込んで、操作機構３の操作レバー３ｂを起伏操作して固定フック３ｃ，巻取フック３ｅの間を緊張させ、挟付機構２の挟付片２ｂ，２ｂの間隔を収縮させることにより、長尺物Ｐを挟み付けることができる。
【００３６】
荷役補助具Ｓの操作機構３により挟み付けが完了し、長尺物Ｐを引き出す際、フォークリフトＦを後進させる時にフォークリフトＦのマストを若干起すことにより、更に挟み付け力が強まる。
【００３７】
この実施の形態の荷役作業における作用，効果は、前述の本発明に係る長尺物の荷役方法の実施の形態で説明したとおりであるが、操作機構３がレバーホイスト構造で連結強度が強いこと、各挟付片２ｂのコーナー部とフォークリフトＦの後進時のマスト起しにより、更に挟み付け効果が発揮され、荷役作業中に操作機構３が切断したり、又は抜けたりして長尺物Ｐの引き出しが不能になるようなことはない。
薄い長尺な積層製材品の場合、レバーホイスト構造だけの挟み付けでは締めきれないことがあるが、上述のような３点機能により円滑な荷役作業がなしうるようにしたものである。
【００３８】
以上、図示した実施の形態の外に、材木以外の長尺物Ｐの荷役に供することも可能である。
【００３９】
さらに、荷役補助具Ｓとしては、操作機構３として油圧シリンダを採用して自動化，高性能化することも可能である。
また、連結用取付座４を省略して、操作機構３をフォークリフトＦの本体部側に直接連結し、構造をより簡素化することも可能である。
【００４０】
【発明の効果】
上述のように、本発明によれば、次のような効果が得られる。
（ａ）本発明に係る長尺物の荷役方法は、長尺物の荷役作業が中断されずにフォークリフト１台で連続して行われるため、荷役の作業時間が短縮される効果と安全作業が確保される。特に、操作機構がレバーホイスト構造で連結強度が強く、挟付機構のコーナー部構造と回転軸の作用によって左右一対の挟付片が自然に回動し、間隙が収縮してより挟み付けが容易で、かつ強力に長尺物の端部を保持することができる。
（ｂ）その際、長尺物の引出始端と、荷役補助具を構成する挟付片との間に、ゴム板を介装させることによって、荷役補助具と長尺物との間の滑りを防止し、長尺物のコンテナからの引き出しを確実に行うことができ、荷役補助具による長尺物の傷付き損傷を防止することができる効果がある。
（ｃ）また、本発明に係るフォークリフト用荷役補助具は、部品点数が少なく、構造が簡素であるため、故障がなく、かつ、安価，容易に製造することができる。
（ｄ）また、連結用取付座を具備させることによって、操作機構をフォークリフトに連結し易く、昇降機能だけ有する通常のフォークリフトに、挟付機能を付加するだけでよいなど製作上の効果がある。
（ｅ）さらに、フォークリフトによるコンテナからの引き出しに際しては、マストを起すことによって、挟み付けを強めることができる。また、荷役作業中に、操作機構が切断等して長尺物の引き出しが不能になるようなことがない、という効果がある。
【図面の簡単な説明】
【図１】  本発明に係る長尺物の荷役方法の実施の形態を示す工程図で、（Ａ）〜（Ｄ）は工程順の流れ図である。
【図２】  図１の動作原理を示す簡略図である。
【図３】  本発明に係るフォークリフト用荷役補助具の実施の形態を示す斜視図である。
【図４】  図３の使用状態を示す平面図である。
【図５】  図３の使用状態を示す側面図である。
【符号の説明】
１      基板
２      挟付機構
３      操作機構
４      連結用取付座
Ｃ      コンテナ
Ｆ      フォークリフト
Ｆａ    爪部
Ｆｂ    支持枠
Ｐ      長尺物
Ｒ      ゴム板
Ｓ      フォークリフト用荷役補助具
Ｍ      ころ材
Ｎ      角材
【図１】
0003963194.tif 000002
【図２】
0003963194.tif 000003
【図３】
0003963194.tif 000004
【図４】
0003963194.tif 000005
【図５】
0003963194.tif 000006